(57)【要約】【課題】障害情報を集約するサーバの負荷を分散して負荷増大に対して迅速な処理を可能にする。【解決手段】複数のクライアント端末１３２−１３４に接続され、インターネット１００へのアクセス機能を有するＡＤＳＬルータ１３１の負荷分散型ネットワーク障害監視システムに、前記複数のクライアント端末と前記ＡＤＳＬルータの接続状況、データの通信内容の異常を監視し、記録するＡＤＳＬルータの障害監視部１３１Ａと、前記インターネットに接続され、前記障害監視部から監視された接続状況、データの通信内容の異常をまとめて定期的に受信し受信したデータを集計し、ネットワーク状態を確認するネットワーク監視マシン１０１とを備えることを特徴とするＡＤＳＬルータの負荷分散型ネットワーク障害監視システム。【選択図】図１
2005033740.tif 000002
【特許請求の範囲】
【請求項１】
複数のクライアント端末に接続され、インターネットへのアクセス機能を有するＡＤＳＬルータの負荷分散型ネットワーク障害監視システムにおいて、
前記複数のクライアント端末と前記ＡＤＳＬルータの接続状況、データの通信内容の異常を監視し、記録するＡＤＳＬルータの障害監視部と、
前記インターネットに接続され、前記障害監視部から監視された接続状況、データの通信内容の異常をまとめて定期的に受信し受信したデータを集計し、ネットワーク状態を確認するネットワーク監視マシンとを備えることを特徴とするＡＤＳＬルータの負荷分散型ネットワーク障害監視システム。
【請求項２】
前記障害監視部は、前記ＡＤＳＬルータに接続される電話局のＡＤＳＬ局舎側装置と前記ＡＤＳＬルータ間の物理的な回線エラー、前記電話局のＡＤＳＬ局舎装置とインターネット間に接続されるの集線・振分装置と前記ＡＤＳＬルータ間のＰＰＰセッション状態を監視し、監視された前記回線エラー、ＰＰＰセッション状態を記録し、前記ネットワーク監視マシンは、前記障害監視部から監視された物理的な回線エラー、ＰＰＰセッション状態をまとめて定期的に受信し受信したデータを集計し、ネットワーク状態を確認することを特徴とする、請求項１に記載のＡＤＳＬルータの負荷分散型ネットワーク障害監視システム。
【請求項３】
前記障害監視部は、前記物理的な回線エラーが物理的な回線断である場合、回線断の状況、ＰＰＰセッション状態を記録しておき回線復旧の検出後に、記録した回線断の状況、ＰＰＰセッション状態を送信することを特徴とする、請求項１に記載のＡＤＳＬルータの負荷分散型ネットワーク障害監視システム。
【請求項４】
インターネットに複数のネットワーク監視マシンが設けられ、前記ＡＤＳＬルータの障害監視部毎に、監視された接続状況、データの通信内容の異常、又は監視された物理的な回線エラー、ＰＰＰセッション状態の送信先のネットワーク監視マシンを設定することを特徴とする、請求項１又は２に記載のＡＤＳＬルータの負荷分散型ネットワーク障害監視システム。
【請求項５】
さらに、前記ＡＤＳＬルータにＨＴＴＰ／ミラーサーバ部が設けられ、前記ＨＴＴＰ／ミラーサーバ部にはＨＴＴＰが搭載され、前記ＨＴＴＰ／ミラーサーバ部は前記ネットワーク監視マシンのミラーサーバの機能を有し、前記ネットワーク監視マシンからミラーするコンテンツをダウンロードし、前記クライアント端末の各々からアクセスで送信されたデータを集計しまとめて定期的に前記ネットワーク監視マシンに送信することを特徴とする、請求項１に記載のＡＤＳＬルータの負荷分散型ネットワーク障害監視システム。
【請求項６】
さらに、前記ＡＤＳＬルータにＳＭＴＰ／ミラーサーバ部が設けられ、前記ＳＭＴＰ／ミラーサーバ部にはＳＭＴＰが搭載され、前記ＳＭＴＰ／ミラーサーバ部は前記ネットワーク監視マシンのミラーサーバの機能を有し、前記ネットワーク監視マシンからミラーするコンテンツをダウンロードし、前記クライアント端末の各々からアクセスで送信されたデータを集計しまとめて定期的に前記ネットワーク監視マシンに送信することを特徴とする、請求項１に記載のＡＤＳＬルータの負荷分散型ネットワーク障害監視システム。
【請求項７】
複数のクライアント端末に接続され、インターネットへのアクセス機能を有するＡＤＳＬルータの負荷分散型ネットワーク障害監視方法において、
前記複数のクライアント端末と前記ＡＤＳＬルータの接続状況、データの通信内容の異常をＡＤＳＬルータで監視し、記録する工程と、
前記インターネットのネットワーク監視マシンで、前記ＡＤＳＬから監視された接続状況、データの通信内容の異常をまとめて定期的に受信し受信したデータを集計し、ネットワーク状態を確認する工程とを備えることを特徴とするＡＤＳＬルータの負荷分散型ネットワーク障害監視方法。
【発明の詳細な説明】
【技術分野】
【０００１】
本発明はインターネットへのアクセス機能を有するＡＤＳＬ（Ａｓｙｍｍｅｔｒｉｃ  Ｄｉｇｉｔａｌ  Ｓｕｂｓｃｒｉｂｅｒ  Ｌｉｎｅ）ルータに関する。特に、本発明は、ネットワーク障害監視の負荷分散を行うＡＤＳＬルータに関する。
【背景技術】
【０００２】
従来のネットワークにおける負荷分散システムでは、インターネット上のサーバの負荷を分散すると共に、パケットも軽減するするために、ルータに、通過するＩＰパケットのアドレスを解析する機能、宛先ＩＰアドレスを監視するトラヒック監視機能、アクセス頻度が高いサーバに対してミラーサーバがないかを問い合わせる機能、ミラーサーバテーブル上にサーバとミラーサーバのＩＰアドレスを展開し、ルーティングテーブルと比較して、距離の近いサーバを検索するミラーサーバ解析制御機能、距離の近いサーバが存在した場合は、ＩＰアドレス変換対応テーブルを作成し、ＩＰアドレス変換対応テーブルにある宛先ＩＰアドレスが入ったＩＰパケットのアドレスを、距離の近いＩＰアドレスに変換し送信するＩＰアドレス変換制御機能を備えるようにしている（例えば、特許文献１参照。）。
【０００３】
また、従来のネットワーク分散管理システムでは、大規模化、複雑化したネットワークを複数の管理サーバにより効率的に監視するために、ネットワーク分散管理システムにおいて、ネットワークに接続された複数のノードを複数のグループに分けてネットワークグループを構成し、各ネットワークグループ毎にネットワーク監視サーバを設置し、各ネットワークグループのネットワーク監視サーバが、他のネットワーク監視サーバの持っている管理情報を取得し、共有することにより、ネットワーク監視を行うようにしている（例えば、特許文献２参照。）。
【０００４】
【特許文献１】特開２００３−０２２２２６（第４頁、第５頁、図２）
【特許文献２】特開２００１−１４４７６１（第４頁、図１）
【発明の開示】
【発明が解決しようとする課題】
【０００５】
上記の従来技術に対して、近年、インターネットのブロードバンドアクセス網の普及、ネットワーク運用ソリューションの多様化に伴い、サーバ運用による情報発信が増えている。
特に、ＡＤＳＬ等によるインターネット常時接続サービス、高速通信サービスが個人でも手軽に利用できるようになったため、インタラクティブな情報の交信が容易になっている。
【０００６】
それに伴い、情報受信側では、受信トラフィックが増大し、その処理にかかる負荷が増大している。このため、負荷軽減が課題となりつつある。
従来の技術のネットワーク監視システムでは、障害情報を集約するサーバが１箇所に集中してしまい、負荷が高くなってしまうという問題がある。
負荷が増大することで処理が遅くなってしまい、迅速な対応の妨害、大量の情報処理の部分的な欠落など、リアルタイム性が損なわれ、新たな問題が発生する。障害管理等の迅速性が要求されるシステムでは、重大な問題である。
【０００７】
したがって、本発明は上記問題点に鑑みて、障害情報を集約するサーバの負荷を分散して負荷増大に対して迅速な処理を可能にするＡＤＳＬルータの負荷分散型ネットワーク障害監視システム及び方法を提供する。
を提供することを目的とする。
【課題を解決するための手段】
【０００８】
本発明は前記問題点を解決するために、複数のクライアント端末に接続され、インターネットへのアクセス機能を有するＡＤＳＬルータの負荷分散型ネットワーク障害監視システムにおいて、前記複数のクライアント端末と前記ＡＤＳＬルータの接続状況、データの通信内容の異常を監視し、記録するＡＤＳＬルータの障害監視部と、前記インターネットに接続され、前記障害監視部から監視された接続状況、データの通信内容の異常をまとめて定期的に受信し受信したデータを集計し、ネットワーク状態を確認するネットワーク監視マシンとを備えることを特徴とするＡＤＳＬルータの負荷分散型ネットワーク障害監視システムを提供する。
【０００９】
さらに、前記障害監視部は、前記ＡＤＳＬルータに接続される電話局のＡＤＳＬ局舎側装置と前記ＡＤＳＬルータ間の物理的な回線エラー、前記電話局のＡＤＳＬ局舎装置とインターネット間に接続されるの集線・振分装置と前記ＡＤＳＬルータ間のＰＰＰセッション状態を監視し、監視された前記回線エラー、ＰＰＰセッション状態を記録し、前記ネットワーク監視マシンは、前記障害監視部から監視された物理的な回線エラー、ＰＰＰセッション状態をまとめて定期的に受信し受信したデータを集計し、ネットワーク状態を確認する。
【００１０】
さらに、前記障害監視部は、前記物理的な回線エラーが物理的な回線断である場合、回線断の状況、ＰＰＰセッション状態を記録しておき回線復旧の検出後に、記録した回線断の状況、ＰＰＰセッション状態を送信する。
さらに、インターネットに複数のネットワーク監視マシンが設けられ、前記ＡＤＳＬルータの障害監視部毎に、監視された接続状況、データの通信内容の異常、又は監視された物理的な回線エラー、ＰＰＰセッション状態の送信先のネットワーク監視マシンを設定する。
【００１１】
さらに、前記ＡＤＳＬルータにＨＴＴＰ／ミラーサーバ部が設けられ、前記ＨＴＴＰ／ミラーサーバ部にはＨＴＴＰが搭載され、前記ＨＴＴＰ／ミラーサーバ部は前記ネットワーク監視マシンのミラーサーバの機能を有し、前記ネットワーク監視マシンからミラーするコンテンツをダウンロードし、前記クライアント端末の各々からアクセスで送信されたデータを集計しまとめて定期的に前記ネットワーク監視マシンに送信する。
【００１２】
さらに、前記ＡＤＳＬルータにＳＭＴＰ／ミラーサーバ部が設けられ、前記ＳＭＴＰ／ミラーサーバ部にはＳＭＴＰが搭載され、前記ＳＭＴＰ／ミラーサーバ部は前記ネットワーク監視マシンのミラーサーバの機能を有し、前記ネットワーク監視マシンからミラーするコンテンツをダウンロードし、前記クライアント端末の各々からアクセスで送信されたデータを集計しまとめて定期的に前記ネットワーク監視マシンに送信する。
【００１３】
さらに、本発明は、複数のクライアント端末に接続され、インターネットへのアクセス機能を有するＡＤＳＬルータの負荷分散型ネットワーク障害監視方法において、前記複数のクライアント端末と前記ＡＤＳＬルータの接続状況、データの通信内容の異常をＡＤＳＬルータで監視し、記録する工程と、前記インターネットのネットワーク監視マシンで、前記ＡＤＳＬから監視された接続状況、データの通信内容の異常をまとめて定期的に受信し受信したデータを集計し、ネットワーク状態を確認する工程とを備えることを特徴とするＡＤＳＬルータの負荷分散型ネットワーク障害監視方法を提供する。
【発明の効果】
【００１４】
以上説明したように、本発明によれば、ＡＤＳＬルータの障害監視部で障害情報を集約し負荷を分散するようにしたので、従来のように、サーバがインターネット上の１箇所に集中して負荷が高くなることがなくなり、負荷増大を集約する迅速な対応が可能になり、大量な情報の処理の部分的な欠落などがなくなる。
このため、ネットワーク負荷を軽減することによるネットワーク全体の通信負荷の改善が可能になる。
【００１５】
さらに、中継ルータにのみ本機能を追加し、クライアント端末には機能を追加しないので、導入コストも小さくできる。また、既存のネットワークのプラットフォームに依存せず、導入可能である。
さらに、送信内容の変更の機能拡張が容易になり、負荷分散が可能になり、遠隔事業等での大規模データ集計システムの構築が可能になる。ＨＴＴＰ又はＳＭＴＰをＡＤＳＬルータに搭載して一体化にするため、リソースも少なくてよい利点がある。
【００１６】
このため、回線状態だけでなく、セッション状態まで監視できることにより、初心者等、障害の原因解析に不得手なユーザにもネットワーク管理者側からの適切な対応が可能になる。
インターネットに複数のネットワーク監視マシンが設置可能になり、監視処理に対してネットワーク監視マシン側の負荷がより軽減される。
【発明を実施するための最良の形態】
【００１７】
以下、本発明の実施の形態について図面を参照して説明する。
図１は本発明に係るＡＤＳＬルータの負荷分散型ネットワーク障害監視システムの概略構成を示すブロック図である。
本図に示すように、ＡＤＳＬルータの負荷分散型ネットワーク障害監視システムにはインターネット１００を含み、インターネット１００にはネットワーク監視マシン１０１が設けられ、ネットワーク監視マシン１０１はインターネット１００上にてネットワーク上の運用情報を管理する機能を有するマシンである。
【００１８】
さらに、ＡＤＳＬルータの負荷分散型ネットワーク障害監視システムにはインターネット１００への接続をＡＤＳＬサービスとして提供する機能を有する通信事業者であるインターネットサービスプロバイダ（ＩＳＰ（Ｉｎｔｅｒｎｅｔ  Ｓｅｒｖｉｃｅ  Ｐｒｏｖｉｄｅｒ））１１０を含み、インターネットサービスプロバイダ１１０にはＢＡＳ（Ｂｒｏａｄｂａｎｄ  Ａｃｃｅｓｓ  Ｓｅｒｖｅｒ）１１１が設けられ、ＢＡＳ１１１はユーザからのトラフィックを集約し、接続先に振り分ける機能を有する集線・振分装置である。ＢＡＳ１１１にはネットワーク監視マシン１０１が接続される。
【００１９】
さらに、ＡＤＳＬルータの負荷分散型ネットワーク障害監視システムには電話局１２０を含み、電話局１２０内にはＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）１２１が設けられ、ＤＳＬＡＭ１２１はＡＤＳＬ回線を収容し、ＡＤＳＬサービスを提供する通信事業者によりＢＡＳ１１１を介してインターネット１００への接続を行う機能を有するＡＤＳＬ局舎側装置である。
【００２０】
さらに、ＡＤＳＬルータの負荷分散型ネットワーク障害監視システムにはＬＡＮ（Ｌｏｃａｌ  Ａｒｅａ  Ｎｅｔｗｏｒｋ）１３０を含み、ＬＡＮ１３０には複数のクライアント端末１３２、１３３、１３４が接続されるＡＤＳＬルータ１３１が設けられ、ＡＤＳＬルータ１３１はクライアント端末１３２、１３３、１３４とＤＳＬＡＭ１２１の中継点に存在し、インターネット１００に対しクライアント端末１３２、１３３、１３４のアクセスを行う機能を有するルータである。
【００２１】
ＡＤＳＬルータ１３１には障害監視部１３１Ａが設けられ、障害監視部１３１Ａは、クライアント端末１３２、１３３、１３４の接続状況、データの通信内容の異常を監視し、監視した結果の接続状態、異常のデータをログとして記録し、定期的にまとめて、電話局１２０、インターネットサービスプロバイダ１１０を介して、ネットワーク監視マシン１０１に送信する機能を有する。
【００２２】
このようにして、ＡＤＳＬルータ１３１の障害監視部１３１Ａで障害情報を集約し負荷を分散するようにしたので、従来のように、サーバがインターネット上の１箇所に集中して負荷が高くなることがなくなり、負荷増大を集約する迅速な対応が可能になり、大量な情報の処理の部分的な欠落などがなくなる。
このため、ネットワーク負荷を軽減することによるネットワーク全体の通信負荷の改善  が可能になる。
【００２３】
さらに、中継ルータにのみ本機能を追加し、クライアント端末には機能を追加しないので、導入コストも小さくできる。また、既存のネットワークのプラットフォームに依存せず、導入可能である。
ＡＤＳＬルータの負荷分散型ネットワーク障害監視システムでは、クライアント端末１３２、１３３、１３４とＡＤＳＬルータ１３１間、ＡＤＳＬルータ１３１とＢＡＳ１１１間の監視処理の動作例に以下のように分かれる。
【実施例１】
【００２４】
図２は図１におけるＡＤＳＬルータ１３１で障害監視部１３１Ａの監視処理動作例を説明する図である。
本図に示すように、ＡＤＳＬルータ１３１の障害監視部１３１ＡではＬＡＮ１３０側におけるクライアント端末１３２、１３３、１３４との回線障害等の接続状況が監視される。
【００２５】
さらに、障害監視部１３１ＡではＬＡＮ１３０のクライアント端末１３２、１３３、１３４に、例えば、宛先不明のトラフィックが大量にあり、データの通信内容に異常があった場合、その状況が監視される。
ＡＤＳＬルータ１３１では監視した接続状況、異常な情報のデータが記録される。
なお、ＡＤＳＬルータ１３１の障害監視部１３１Ａでは、ソースＩＰアドレス等からたどってデータの送受信解析が行われる。
【００２６】
障害監視部１３１Ａでは、インターネット１００のネットワーク監視マシン１０１に対して、定期的にまとめて監視した接続状況、異常な情報のデータが送信される。
ネットワーク監視マシン１０１では、ＡＤＳＬルータ１３１から受け取ったデータが集計され、ネットワーク管理者によってネットワーク状態が確認され、適切な対処が行われる。
【実施例２】
【００２７】
図３は図１におけるＡＤＳＬルータ１３１で障害監視部１３１Ａの別の監視処理動作例を説明する図である。本図に示すように、図２と比較して、ＡＤＳＬルータ１３１の障害監視部１３１Ａでは、ＡＤＳＬルータ１３１とＤＳＬＡＭ１２１間の物理的な回線エラー、ＡＤＳＬルータ１３１とＢＡＳ１１１間のＰＰＰ（Ｐｏｉｎｔ  ｔｏ  Ｐｏｉｎｔ  Ｐｒｏｔｏｃｏｌ）セッション状態、通信セッションの状態について、監視が行われ、監視結果のデータがログとして記録され、定期的にネットワーク監視マシン１０１に送信される。
【００２８】
ＡＤＳＬルータ１３１とＤＳＬＡＭ１２１間の物理的な回線断があった場合、上位のネットワーク監視マシン１０１に送信が不可能になるため、回線復旧を検出後に監視結果のデータが送信される。
前述と同様に、ネットワーク監視マシン１０１では、ＡＤＳＬルータ１３１から受け取ったデータが集計され、ネットワーク管理者によってネットワーク状態が確認され、適切な対処が行われる。
【実施例３】
【００２９】
図４は図１の変形例に係るＡＤＳＬルータの負荷分散型ネットワーク障害監視システムの概略構成を示すブロック図である。
本図に示すように、図１と比較して、ＡＤＳＬルータの負荷分散型ネットワーク障害監視システムでは、インターネット１００上に複数のネットワーク監視マシン１０１が設けられ、ＡＤＳＬルータ１３１の障害監視部１３１Ａのそれぞれに対して送信先のインターネット１００上のネットワーク監視マシン１０１が設定される。
【００３０】
これにより、インターネット１００に複数のネットワーク監視マシン１０１が設置可能になり、図２、図３の監視処理に対してネットワーク監視マシン１０１側の負荷も軽減される。
【実施例４】
【００３１】
図１において、ＡＤＳＬルータ１３１にはＨＴＴＰ（Ｈｙｐｅｒｔｅｘｔ  Ｔｒａｎｓｆｅｒ  Ｐｒｏｔｏｃｏｌ）が搭載されるＨＴＴＰ／ミラーサーバ部１３１Ｂが設けられ、さらに、ＨＴＴＰ／ミラーサーバ部１３１Ｂはネットワーク監視マシン１０１のミラーサーバの機能を有する。
すなわち、ネットワーク監視マシン１０１はＡＤＳＬルータ１３１の親コンテンツサーバとなり、ＡＤＳＬルータ１３１はネットワーク監視マシン１０１の子サーバとなる。
【００３２】
図５はＡＤＳＬルータ１３１のＨＴＴＰ／ミラーサーバ部１３１Ｂの動作例を説明する図である。
本図に示すように、ＡＤＳＬルータ１３１のＨＴＴＰ／ミラーサーバ部１３１ＢではＨＴＴＰのＧＥＴ／ＰＯＳＴメソッドによるデータ受け渡しに基づいて、ネットワーク監視マシン１０１からダウンロード等にて書き込まれる形態が取られる。
【００３３】
さらに、ＡＤＳＬルータ１３１に各クライアント端末１３２、１３３、１３４がアクセスし、各クライアント端末１３２、１３３、１３４からＡＤＳＬルータ１３１にデータが送信される。
ＡＤＳＬルータ１３１のＨＴＴＰ／ミラーサーバ部１３１Ｂでは各クライアント端末１３２、１３３、１３４から寄せられたデータが集計され、まとめて定期的に親コンテンツサーバであるネットワーク監視マシン１０１に集計されたデータが送信される。
【００３４】
これにより、送信内容の変更の機能拡張が容易になり、負荷分散が可能になり、遠隔事業等での大規模データ集計システムの構築が可能になる。ＨＴＴＰをＡＤＳＬルータ１３１に搭載して一体化にするため、リソースも少なくてよい利点がある。
このため、回線状態だけでなく、セッション状態まで監視できることにより、初心者等、障害の原因解析に不得手なユーザにもネットワーク管理者側からの適切な対応が可能になる。
【００３５】
なお、情報送受信に用いるプロトコルとしてＨＴＴＰを用いたが、これに限らず、例えば、ＳＭＴＰ（Ｓｍａｌｌ  Ｍａｉｌ  Ｔｒａｎｓｆｅｒ  Ｐｒｏｔｏｃｏｌ）の電子メール形式でも適用可能である。この場合、ＡＤＳＬルータ１３１のＨＴＴＰ／ミラーサーバ部１３１ＢはＳＭＴＰ／ミラーサーバ部１３１Ｃ（図示しない）に置換される。
【実施例５】
【００３６】
図６は図５の変形例であり、ＡＤＳＬルータ１３１でＨＴＴＰ／ミラーサーバ部１３１Ｂの別の動作例を説明する図である。
本図に示すように、図５と比較して、ＡＤＳＬルータの負荷分散型ネットワーク障害監視システムでは、インターネット１００上に複数のネットワーク監視マシン１０１が設けられ、ＡＤＳＬルータ１３１のＨＴＴＰ／ミラーサーバ部１３１Ｂのそれぞれで送信先のインターネット１００上のネットワーク監視マシン１０１が設定される。
【００３７】
すなわち、ネットワーク監視マシン１０１の各々はＡＤＳＬルータ１３１の親コンテンツサーバとなり、ＡＤＳＬルータ１３１はネットワーク監視マシン１０１の子サーバとなる。
これにより、インターネット１００に複数のネットワーク監視マシン１０１が設置可能になり、図５の監視処理に対してネットワーク監視マシン１０１側の負荷がより軽減される。
【産業上の利用可能性】
【００３８】
ＡＤＳＬルータを例に挙げて説明したが、ＷＡＮ（Ｗｉｄｅ  Ａｒｅａ  Ｎｅｔｗｏｒｋ）側インタフェースはＡＤＳＬである必要はなく、Ｅｔｈｅｒｎｅｔ（登録商標）、ＦＴＴＨ（Ｆｉｂｅｒ  ｔｏ  ｔｈｅ  Ｈｏｍｅ）など、あらゆるルータに適用可能であり、また、ＬＡＮ側インタフェースもあらゆる種類に対して適用可能である。
【図面の簡単な説明】
【００３９】
【図１】本発明に係るＡＤＳＬルータの負荷分散型ネットワーク障害監視システムの概略構成を示すブロック図である。
【図２】図１におけるＡＤＳＬルータ１３１で障害監視部１３１Ａの監視処理動作例を説明する図である。
【図３】図１におけるＡＤＳＬルータ１３１で障害監視部１３１Ａの別の監視処理動作例を説明する図である。
【図４】図１の変形例に係るＡＤＳＬルータの負荷分散型ネットワーク障害監視システムの概略構成を示すブロック図である。
【図５】ＡＤＳＬルータ１３１のＨＴＴＰ／ミラーサーバ部１３１Ｂの動作例を説明する図である。
【図６】図５の変形例であり、ＡＤＳＬルータ１３１でＨＴＴＰ／ミラーサーバ部１３１Ｂの別の動作例を説明する図である。
【符号の説明】
【００４０】
１００…インターネット
１０１…ネットワーク監視マシン
１１０…インターネットサービスプロバイダ
１１１…ＢＡＳ
１２０…電話局
１２１…ＤＳＬＡＭ
１３０…ＬＡＮ
１３１…ＡＤＳＬルータ
１３１Ａ…障害監視部
１３１Ｂ…ＨＴＴＰ／ミラーサーバ部
１３１Ｃ…ＳＭＴＰ／ミラーサーバ部
１３２、１３３、１３４…クライアント端末
【図１】
2005033740.tif 000003
【図２】
2005033740.tif 000004
【図３】
2005033740.tif 000005
【図４】
2005033740.tif 000006
【図５】
2005033740.tif 000007
【図６】
2005033740.tif 000008